(57)【要約】【課題】コンパクトにして輸送コストを抑えることができるとともに、簡単な操作でワンタッチで吊下状態にできる吊下型陳列具を提供すること。【解決手段】縦長状の台紙１０の前面に複数のボックス状のトレー２０をその背面板２３により上下方向に取り付けてなる吊下型陳列具Ｄであって、各トレー２０は台紙１０の上部に吊下部分１０ａを残した状態で且つそれぞれが側面板２４の幅と同じ間隔を置いた状態で台紙１０に取り付けられており、少なくとも最下段のトレー２０を除いた他のトレー２０は背面板２３の上部のみで台紙１０に固定され、それらのトレー２０における背面板２３の上辺及び下辺とそれらの中心線に対応して台紙１０に折線が設けられており、最下段のトレー２０における背面板２３の上辺に対応して台紙１０に折線が設けられた構成とする。【選択図】図１
2006136444.tif 000002
【特許請求の範囲】
【請求項１】
縦長状の台紙の前面に複数のボックス状のトレーをその背面板により上下方向に並んで取り付けてなる吊下型陳列具であって、各トレーは台紙の上部に吊下部分を残した状態で且つそれぞれが側面板の幅と同じ間隔を置いた状態で台紙に取り付けられており、少なくとも最下段のトレーを除いた他のトレーは背面板の上部のみで台紙に固定され、それらのトレーにおける背面板の上辺及び下辺とそれらの中心線に対応して台紙に折線が設けられており、最下段のトレーにおける背面板の上辺に対応して台紙に折線が設けられていることを特徴とする吊下型陳列具。
【請求項２】
ボックス状のトレーの底部がオートロック構造になっていることを特徴とする請求項１に記載の吊下型陳列具。
【発明の詳細な説明】
【技術分野】
【０００１】
本発明は、箱や袋に入った個装形態の商品を店頭において陳列状態で販売するのに使用される吊下型陳列具に関するものである。
【背景技術】
【０００２】
従来より、箱や袋に入った個装形態の商品を店頭にて販売する場合にいわゆる吊下型陳列具が使用されている。この吊下型陳列具とは、台紙の表側にボックス状のトレーを複数取り付けたものであり、そのトレーに商品を入れた状態で通路やレジ横等の人目につく適当な場所に吊り下げて使用され、ディスプレイ効果により商品の販売促進を図るようにしたものである。このような吊下型陳列具として、予め組み立てた状態で、各段のトレーに商品を収納し、段ボールに詰められて小売店に配送されるタイプのものがある。
【０００３】
上記のタイプの陳列具は、組み立てた状態で商品を収納して梱包すると、包装体積が大きくなって輸送費が高くつく。そこで、トレーと台紙を別にし、各トレーの背面にビスを突設しておき、そのビスを台紙に形成したビス穴に係合させることでトレーを台紙に取り付けるようにしたものが知られている。
【特許文献１】特開２００４−２３６８８０号公報
【発明の開示】
【発明が解決しようとする課題】
【０００４】
上記した吊下型陳列具は、ビス穴からビスを抜いて各トレーを分離した状態でコンパクトに梱包して配送でき、店頭で上下のトレーを迅速に連結して商品を陳列することができることから、商品の輸送に要するコストを抑制することができるという利点がある。しかしながら、トレーの背面にあるビスを台紙のビス穴に係合したり外したりする作業は、位置合わせを伴うので面倒であり、またトレーの数が多くなるとそれだけ手間が掛かることになる。
【０００５】
本発明は、このような事情に鑑みてなされたものであり、その目的とするところは、コンパクトにして輸送コストを抑えることができるとともに、簡単な操作によりワンタッチで吊下状態にできる吊下型陳列具を提供することにある。
【課題を解決するための手段】
【０００６】
上記の目的を達成するため、本発明の吊下型陳列具は、縦長状の台紙の前面に複数のボックス状のトレーをその背面板により上下方向に並んで取り付けてなる吊下型陳列具であって、各トレーは台紙の上部に吊下部分を残した状態で且つそれぞれが側面板の幅と同じ間隔を置いた状態で台紙に取り付けられており、少なくとも最下段のトレーを除いた他のトレーは背面板の上部のみで台紙に固定され、それらのトレーにおける背面板の上辺及び下辺とそれらの中心線に対応して台紙に折線が設けられており、最下段のトレーにおける背面板の上辺に対応して台紙に折線が設けられていることを特徴としている。
【０００７】
そして、上記構成の吊下型陳列具において、ボックス状のトレーの底部がオートロック構造になっていることが好ましいものである。
【発明の効果】
【０００８】
本発明の吊下型陳列具は、上記の構成からなっているので、一番上のトレーの背面板に対応する台紙部分をＶ字状に折り畳むようにして二番目のトレーを同じ向きで一番上のトレーの背面側にくっ付け、同様にして下方のトレーを順次くっ付けた後、そのくっ付けた複数のトレーの上に台紙の吊下部分を重ねることにより、各トレーがくっ付いて並んだコンパクトな状態にすることができ、しかも使用時には伸ばすだけで元の状態にすることができる。したがって、輸送時にはコンパクトな状態で段ボールに梱包することができ、使用時には段ボールから出して伸ばすだけで吊下状態にすることができる。
【０００９】
また、ボックス状のトレーの底部がオートロック構造とすることにより、上記の効果に加え、トレーが折畳み可能なことから、全体を扁平な状態にすることができ、さらにこの扁平な状態から台紙の適当な折線のところで折り畳んだ状態にすることもできるので、商品を収納するまでは嵩張らない状態で運搬したり保管したりすることができる。
【発明を実施するための最良の形態】
【００１０】
以下、本発明の実施の形態について詳細に説明する。
【００１１】
図１は本発明に係る吊下型陳列具の一例を前側から見た状態で示す斜視図、図２は同じく後側から見た状態で示す斜視図である。
【００１２】
この吊下型陳列具Ｄは縦長状の台紙１０とその前面に三つ取り付けられたボックス状のトレー２０とから構成されている。台紙１０は比較的厚手の板紙からなり、トレー２０は折罫で折畳みが可能な厚さの板紙からなっている。
【００１３】
トレー２０は、底部２１がオートロック構造の折畳み箱を利用したもので、上辺に２つの切欠２２ａを形成した前面板２２と、この前面板２２より背の高い背面板２３と、それらの側辺を繋ぐ一対の側面板２４とを有している。そして、三つのトレー２０は、台紙１０の上部に吊下部分１０ａを残した状態で且つそれぞれが上下方向に側面板の幅と同じ間隔を置いた状態で、背面板２３の上部がビス３１で台紙１０に固定されることでそれぞれ台紙１０の前面に取り付けられている。なお、ビス３１の代わりに接着剤で取り付けても構わないが、接着剤の塗布範囲は少なくとも背面板２３の上半分までとする。
【００１４】
台紙１０には、図２に示すように、所定の位置に横方向の折線ａ1 〜ａ7 が形成されている。すなわち、上側２つのトレー２０における背面板２３の上辺と下辺とそれらの中心線に対応して台紙１０に折線ａ1 〜ａ6 が設けられており、最下段のトレー２０における背面板２３の上辺に対応して台紙１０に折線ａ7 が設けられている。これらの折線は板紙にハーフカットを形成することにより設けられており、各ハーフカットは台紙１０の折曲げの向きを考慮して形成されている。ここでは、折線ａ1 ，ａ2 ，ａ5 については台紙１０の前面側から、折線ａ3 ，ａ4 ，ａ6 ，ａ7 については背面側からそれぞれハーフカットが形成されている。
【００１５】
この吊下型陳列具Ｄは、図３に示す如く、各トレー２０がくっ付いて並んだコンパクトな状態にすることができる。すなわち、一番上のトレー２０の背面板２３に対応する台紙１０の部分を折線ａ2 〜ａ4 でＶ字状に折り畳むようにして二番目のトレー２０を同じ向きで一番上のトレー２０の背面側にくっ付け、同様にして二番目のトレー２０の背面板２３に対応する台紙１０の部分を折線ａ5 〜ａ7 でＶ字状に折り畳むようにして最下段のトレー２０を同じ向きで二番目のトレー２０の背面側にくっ付けた後、そのくっ付けた三つのトレー２０の上に台紙１０の吊下部分１０ａを折線ａ1 で曲げて重ねることで図３に示す状態にすることができる。なお、各折線ａ1 〜ａ7 は折り曲げた際の台紙１０の厚みを考慮して若干ずれた位置に設けてあり、特に折線ａ3 とａ6 については、Ｖ字状に折り畳んだ際に二重となる台紙１０の厚みを考慮してトレー２０の底部よりその厚み分だけ上方に形成してある。
【００１６】
したがって、この吊下型陳列具Ｄは、箱や袋に入った個装形態の商品をトレー２０に収納してから、図３に示す状態に畳み込み、コンパクトな状態として段ボール箱に梱包することができる。また、店頭にて使用するに際しては、吊下型陳列具Ｄを段ボール箱から出して元の状態に伸ばすだけで吊下状態にすることができる。そして、吊下型陳列具Ｄを伸ばした状態にしてから、吊下部分１０ａの孔に通した紐３２のフック３３で吊り下げることで、商品を陳列することができる。
【００１７】
また、上記の吊下型陳列具Ｄは、トレー２０の底部２１がオートロック構造の折畳み箱を利用しているので、図４のように、台紙１０に対してトレー２０の部分を折り畳むことで全体を扁平な状態にすることができる。さらに、この扁平な状態から台紙１０の適当な折線のところで折り畳んだ状態にすることもできる。したがって、商品を収納するまでは嵩張らない状態で運搬したり保管したりすることができる。
【図面の簡単な説明】
【００１８】
【図１】本発明に係る吊下型陳列具の一例を前側から見た状態で示す斜視図である。
【図２】本発明に係る吊下型陳列具の一例を後側から見た状態で示す斜視図である。
【図３】図１及び図２に示す吊下型陳列具を畳み込んだ状態を示す斜視図である。
【図４】図１及び図２に示す吊下型陳列具をそのトレーを折り畳んだ状態で示す平面図である。
【符号の説明】
【００１９】
Ｄ  吊下型陳列具
１０  台紙
１１  吊下部分
２０  トレー
２１  底部
２２  前面板
２２ａ  切欠
２３  背面板
２４  側面板
３１  ビス
３２  吊下紐
３３  フック
ａ1 〜ａ7   折線
【図１】
2006136444.tif 000003
【図２】
2006136444.tif 000004
【図３】
2006136444.tif 000005
【図４】
2006136444.tif 000006